(57)【要約】【課題】机上または卓上に置かれるか、または室内に配置されて、壁部に囲まれた空間を視覚的に外部から隔絶させるとともに、衝立の用途に応じた吸音効果を発揮できる折り畳み衝立を提供する。【解決手段】机３上または卓上または室内の床面上に置かれて自立する折り畳み衝立が、複数の壁部１と、隣り合う壁部１同士の間に位置するヒンジ部２と、を有し、壁部１は、基部１ａと、基部１ａの少なくとも一部に重なるように取り付けられている吸音部１ｂと、を有し、基部１ａは高分子発泡樹脂からなり、吸音部１ｂは、発泡樹脂、織布、または不織布からなる。【選択図】図１
2019196640.tif 000002
【特許請求の範囲】
【請求項１】
机上または卓上または室内の床面上に置かれて自立する折り畳み衝立であって、
複数の壁部と、隣り合う前記壁部同士の間に位置するヒンジ部と、を有し、
前記壁部は、基部と、前記基部の少なくとも一部に重なるように取り付けられている吸音部と、を有し、前記基部は高分子発泡樹脂からなり、前記吸音部は、発泡樹脂、織布、または不織布からなる、折り畳み衝立。
【請求項２】
前記吸音部の、周波数１ｋＨｚの音に関する吸音率は０．４以上である、請求項１に記載の折り畳み衝立。
【請求項３】
前記吸音部は、ポリウレタンフォーム、メラミンフォーム、フェルト、または不織布である、請求項２に記載の折り畳み衝立。
【請求項４】
前記吸音部は、ポリウレタンフォーム、メラミンフォーム、フェルト、不織布のうちの２つの部材の積層構造を有する、請求項３に記載の折り畳み衝立。
【請求項５】
前記吸音部は、ポリウレタンフォームと不織布の積層構造を有する、請求項４に記載の折り畳み衝立。
【請求項６】
前記吸音部の厚さは４〜１００ｍｍであって、前記吸音部の密度は２０〜１００ｋｇ／ｍ3である、請求項１から５のいずれか１項に記載の折り畳み衝立。
【請求項７】
前記基部を構成する前記高分子発泡樹脂は、ポリエチレン、ポリプロピレン、またはポリスチレンであり、前記基部の厚さは３〜１０ｍｍであって、前記基部の密度は１５０〜５００ｋｇ／ｍ3である、請求項１から６のいずれか１項に記載の折り畳み衝立。
【請求項８】
前記基部を構成する前記高分子発泡樹脂は、２〜５倍発泡の独立気泡ポリプロピレンである、請求項７に記載の折り畳み衝立。
【請求項９】
請求項１から８のいずれか１項に記載の折り畳み衝立を机上または卓上に自立させて、外部から隔絶された作業空間を形成する、空間仕切り方法。
【請求項１０】
請求項１から８のいずれか１項に記載の折り畳み衝立を室内の床面上に自立させて、外部から隔絶された会議用空間を形成する、空間仕切り方法。
【請求項１１】
請求項１から８のいずれか１項に記載の折り畳み衝立を室内の床面上に自立させて、外部から隔絶されたプライベート空間を形成する、空間仕切り方法。
【発明の詳細な説明】
【技術分野】
【０００１】
本発明は折り畳み衝立および空間仕切り方法に関する。
【背景技術】
【０００２】
従来、室内の空間や机上または卓上の空間を仕切ることによって外部に対して隔絶する衝立が用いられている。特許文献１〜３には、机上または卓上に置かれて自立する折り畳み衝立が開示されている。これらの衝立は３つ以上の壁部が折り畳み可能に連結されており、必要に応じて、例えば机上において壁部を互いに広げて自立させることによって、外部から隔絶させた作業空間を形成することができる。このように机上において外部から隔絶した空間は、集中して効率良く作業を行うために有用である。
【０００３】
また、前述した机上または卓上に置かれる折り畳み衝立と同様な構成で、より大型の折り畳み衝立を室内に配置すると、広い室内に小規模な会議や打ち合わせを行う空間や、個人的なプライベート空間を形成することができる。
【先行技術文献】
【特許文献】
【０００４】
【特許文献１】特開２０１４−４６１９３号公報
【特許文献２】特開２０１７−２１３２６５号公報
【特許文献３】特開１９９７−９８８６７号公報
【特許文献４】特開２００８−８９９７号公報
【発明の概要】
【発明が解決しようとする課題】
【０００５】
特許文献１に記載されている折り畳み衝立では、折り畳み衝立の壁部に囲まれた空間を外部から視覚的に隔絶することができるが、外部の騒音の影響、すなわち聴覚的な干渉については考慮されていない。
【０００６】
特許文献２に記載されている折り畳み衝立は、折り畳み衝立の壁部に囲まれた空間に対する外部からの視覚的な干渉に加えて聴覚的な干渉も低減するために、上面部材が設けられている。しかし、この上面部材によって、衝立の構成が複雑になるとともに、衝立の折り畳みおよび組立の作業が煩雑になる。また、遮音効果が期待できるのは、上面部材の位置を通過する音の出入りのみであり、衝立の壁部自体を介して伝わる音に関しては考慮されていない。
【０００７】
特許文献３に記載されている折り畳み衝立は、視覚的にも聴覚的にも、壁部に囲まれた空間への外部からの干渉を低減できる。しかし、衝立の用途に応じた特定の音の遮音を行うものではない。すなわち、特許文献３では、全ての音に対して吸音または遮音の効果を発揮しようとするため、吸音部および遮音部の重量や厚さやコストが大きくなる可能性がある。
【０００８】
特許文献４には吸音構造体が開示されているが、これは、産業機械、家電製品、車両、鉄道、建築分野等における吸音性を高めるためのものであり、折り畳み衝立の用途に特に適したものではない。
【０００９】
そこで本発明の目的は、机上または卓上に置かれるか、または室内に配置されて、壁部に囲まれた空間を視覚的に外部から隔絶させるとともに、衝立の用途に応じた吸音効果を発揮できる折り畳み衝立および空間仕切り方法を提供することにある。
【課題を解決するための手段】
【００１０】
本発明の、机上または卓上または室内の床面上に置かれて自立する折り畳み衝立は、複数の壁部と、隣り合う壁部同士の間に位置するヒンジ部と、を有し、壁部は、基部と、基部の少なくとも一部に重なるように取り付けられている吸音部と、を有し、基部は高分子発泡樹脂からなり、吸音部は、発泡樹脂、織布、または不織布からなる。
【発明の効果】
【００１１】
本発明の折り畳み衝立は、机上または卓上に置かれるか、または室内に配置されて、壁部に囲まれた空間を視覚的に外部から隔絶させるとともに、衝立の用途に応じた吸音効果を発揮できる。
【図面の簡単な説明】
【００１２】
【図１】本発明の第１の実施形態の折り畳み衝立を示す斜視図である。
【図２Ａ】図１に示す折り畳み衝立の壁部の拡大断面図である。
【図２Ｂ】図１に示す折り畳み衝立の壁部の変形例の拡大断面図である。
【図３】本発明の第２の実施形態の折り畳み衝立を示す斜視図である。
【図４】本発明の第３の実施形態の折り畳み衝立を示す斜視図である。
【発明を実施するための形態】
【００１３】
以下、本発明の実施の形態について図面を参照して説明する。
本発明の折り畳み衝立は、図１に例示するように、複数の壁部１がヒンジ部２を介して連結された構成である。すなわち、隣り合う壁部１同士の間にヒンジ部２が設けられている。本実施形態の折り畳み衝立の壁部１は、基部１ａと、基部１ａの少なくとも一部を覆うように形成された吸音部１ｂとからなる。ヒンジ部２は、壁部１の基部１ａと繋がっている屈曲可能な肉薄部から構成されている。ただし、ヒンジ部１ｂは、図示しない蝶番等のヒンジ機構から構成されていてもよい。
【００１４】
一例としては、折り畳み衝立の壁部１の基部１ａは高分子発泡樹脂からなり、吸音部１ｂは発泡性の多孔材や織布や不織布等からなる。この折り畳み衝立を製造する際には、高分子発泡樹脂からなる大面積の板材を部分的にプレス加工することなどによって、肉薄部、すなわちヒンジ部２を形成する。このヒンジ部２（肉薄部）は、自立時の上下方向に沿って延びる直線状に形成されており、上下方向に直交する方向に屈曲可能である。そして、大面積の板材の肉薄になっていない部分が基部１ａを構成している。そして、この基部１ａに吸音材（発泡性の多孔材や不織布等）を取り付けて吸音部１ｂを構成する。図示しないが、吸音材は基部１ａに対して接着剤や両面接着テープ等により貼り付けられてもよく、また、ホックやスナップボタン等の取付部材によって着脱可能に取り付けられてもよい。
【００１５】
このような折り畳み衝立は、ヒンジ部２が屈曲させられて壁部１同士が適切な角度をなすように開かれることにより、例えば机３の上面において自立可能である。そして、机上または卓上の空間を壁部１で仕切ることにより、壁部１に囲まれた空間を外部から隔絶させることができる。従って、この壁部１に囲まれた空間において、作業者が容易に集中して効率よく作業を行うことができる。しかも、本実施形態では、壁部１に吸音部１ｂが設けられているため、外部から壁部１に囲まれた空間内への音の進入が抑えられ、視覚だけでなく聴覚上でも作業者への干渉を防ぐことができ、作業の集中力および効率のさらなる向上が図れる。
【００１６】
特に、このような折り畳み衝立においては、視覚的な作業者への干渉を低減することに加えて、軽量化と効果的な遮音性が求められる。すなわち、折り畳むことによって容易に移動して任意の位置で使用することを考慮すると、折り畳み衝立は軽量であることが好ましい。また、聴覚的な作業者への干渉を効果的に防ぐためには、特定の周波数の音を遮ることが重要である。軽さと自立安定性と丈夫さとの観点から、本発明の壁部１の基部１ａは、高分子発泡樹脂、具体的にはポリエチレン、ポリプロピレン、ポリスチレンからなる。特に、２〜５倍発泡の独立気泡ポリプロピレンが好ましい。また、基部１ａの厚さは３〜１０ｍｍで密度は１５０〜５００ｋｇ／ｍ3であることが好ましい。
【００１７】
壁部１の吸音部１ｂは、吸音性や遮音性のみならず、軽量化の妨げにならないことが望まれる。そのため、吸音部１ｂは、発泡性の多孔体や織布や不織布、例えばポリウレタンフォーム、メラミンフォーム、不織布、フェルト等からなる。吸音部１ｂの厚さは４〜１００ｍｍで密度が２０〜１００ｋｇ／ｍ3であることが好ましい。また、折り畳み衝立において聴覚上の作業者への干渉を防ぐためには、特に周波数が１ｋＨｚ前後の音に対する吸音率が重要であり、好ましくは０．４以上、より好ましくは０．５以上、さらに好ましくは０．６以上である。すなわち、全周波数帯域の音に対する吸音率を高めるように吸音部１ｂの材料や寸法等を選択した場合に、重量が重くなって持ち運びや取り扱いが煩雑になることは好ましくない。なお、吸音部１ｂの吸音率は、ＪＩＳ  Ａ  １４０５−２によって、垂直入射吸音率として測定することができる。また、折り畳み衝立の使用環境を考慮すると、第三者の話し声や室内における生活騒音を遮断することが望まれるのが一般的である。すなわち、折り畳み衝立の一般的な用途としては、例えば重機や高速乗物や工作機械等の騒音まで折り畳み衝立によって遮音することは期待されていない。従って、折り畳み衝立の一般的な用途において期待される、話し声や室内における生活騒音等の周波数の音を効果的に遮音して、それ以外の周波数の音に対する吸音性や遮音性は問わない代わりに軽量化に寄与することが望まれる。本発明では、そのような観点から吸音部１ｂの構造や材料や寸法が決められている。吸音部１ｂの一例としては、図２Ａに示すように、厚さが５ｍｍ〜１００ｍｍ、より好ましくは１０ｍｍ〜９０ｍｍのポリウレタンフォーム１ｂ１と、厚さが２ｍｍ〜５０ｍｍ、より好ましくは５ｍｍ〜３０ｍｍの不織布１ｂ２との積層構造からなる吸音部１ｂが挙げられる。さらに製造工程の容易さ等を考慮すると、図２Ｂに示す変形例のように、ポリウレタンフォーム１ｂ１を不織布１ｂ２でくるんだ構造の吸音部１ｂを設けることが好ましい。
【００１８】
本発明の折り畳み衝立の壁部１の数は特に限定されず、壁部１同士を開くことによって自立することが可能であれば、前述した第１の実施形態のように２つの壁部１を有する構成であっても、図３に示す第２の実施形態のように３つ以上の壁部１を有する構成であってもよい。そして、吸音部１ｂ（例えば図２Ａ，２Ｂに示す構造の吸音部）は全ての壁部１に設けられていることが好ましいが、複数の壁部１のうちの一部にのみ設けられていてもよい。また、壁部１の基部１ａの全面に吸音部１ｂが設けられておらず、基部１ａの一部にのみ重なるように吸音部１ｂが設けられていてもよい。さらに、基部１ａの、壁部１によって囲まれる空間の内側に位置する面に吸音部１ｂが設けられていてもよく、外側に位置する面に吸音部１ｂが設けられていてもよく、両面に吸音部１ｂが設けられていてもよい。
【００１９】
前述した第１，２の実施形態の折り畳み衝立は机３の上面または卓上に置かれるサイズであるが、図４に示すように、室内の床面に置く大型の（例えば一般的な人間の身長よりも高い）折り畳み衝立において、本発明の構成を採用することもできる。すなわち前述したような吸音部１ｂが壁部１の基部１ａに設けられている構成の大型の折り畳み衝立を室内に配置して、広い室内に小規模な会議や打ち合わせを行う空間や、個人的なプライベート空間を形成することができる。前者の場合、広い室内において、複数の会合を互いに邪魔にならないようにして同時に並行して行うことができるように空間を仕切ることができる。また、後者の場合、例えば災害時の避難所等において家族ごとに独立したプライベートな空間を形成して、生活環境の改善を図れるように空間を仕切ることができる。
【００２０】
以上説明したように、本発明によると、机上または卓上または室内の床面上に置かれて自立する折り畳み衝立において、その用途に応じて特に必要な吸音性（特定の周波数帯域の音に対する吸音性）を有し、衝立の用途においてあまり必要でない吸音性（それ以外の周波数帯域の音に対する吸音性）については低くても構わない代わりに軽量化に寄与する吸音部１ｂを設けている。従って、実用的な吸音効果と軽さとを両立した折り畳み衝立を実現することができる。
【実施例】
【００２１】
様々な材料からなる本発明の折り畳み衝立の、それぞれの防音効果を測定した結果を以下に説明する。
［吸音部１ｂの吸音率］
ＪＩＳ  Ａ  １４０５−２に従い、１/３オクターブバンド分析により垂直入射吸音率を測定した。なお吸音部１ｂが積層構造の場合は、基部１ａに接する側を入射音側として測定した。
【００２２】
［防音効果評価］
試験室：６．０ｍ×３．２ｍ×２．７ｍの部屋を用いた。
音源：スマートフォンXperia F5（ソニー株式会社製）を用い、AndroidアプリSignal Generatorを用いてピンクノイズを音量最大で出力した。
音圧レベルの計測：マイクロフォンと多機能計測システムＳＡ-Ａ１（リオン株式会社製）を用いて、音圧レベルを計測した。５０〜２０ｋＨｚオーバーオールでのＡ特性音圧レベルと、１/３オクターブバンド分析による各オクターブバンドの音圧レベルとを求めた。
衝立は高さ４５ｃｍの机の上に設置した。音源のスマートフォンとマイクロフォンは、それぞれスタンドを用いて、部屋の床から５５ｃｍの位置に設置した。音源のスマートフォンと衝立の壁部１（折り畳み衝立の中央の壁部）までの距離は５０ｃｍ、壁部１とマイクロフォンとの間の距離は２５ｃｍになるように設置した。
【００２３】
［実施例１］
壁部１の基部１ａとして、厚さ５ｍｍのポリプロピレンの３倍発泡体（商品名：パロニア、三井化学東セロ株式会社製）を用い、吸音部１ｂとして、ポリウレタンフォーム（商品名：カームフレックスＦ−２、厚さ２０ｍｍ、株式会社イノアックコーポレーション製）１ｂ１と、メルトブローン法で作製した厚さ４．５ｍｍ、目付２００ｇ／ｍ2のポリプロピレン製不織布（三井化学株式会社製）１ｂ２との積層構造体（図２Ａに示す構造）を使用した衝立を作製した。この折り畳み衝立は３つの壁部１を有し、各壁部１の基部１ａの幅は４５ｃｍ、高さは６０ｃｍである。各壁部１の吸音部１ｂの幅は３５ｃｍ、高さは６０ｃｍである。なお、吸音部１ｂは、ポリウレタンフォーム１ｂ１が基部１ａと接触する側に位置するように配置した。上述した方法により、吸音部１ｂの垂直入射吸音率および防音効果評価を行った。結果を表１に示す。
【００２４】
［実施例２］
吸音部１ｂを、図２Ａに示す積層構造に代えて図２Ｂに示す積層構造（ポリウレタンフォーム１ｂ１が不織布１ｂ２によって概ねくるまれた構成、すなわち、概ね不織布１ｂ２と不織布１ｂ２との間にポリウレタンフォーム１ｂ１が挟まれた構成）にし、それ以外は実施例１と同様にして、吸音部１ｂの吸音率と防音効果評価を行った。結果を表１に示す。
【００２５】
［実施例３］
壁部１の基部１ａとして、ポリプロピレンの３倍発泡体の代わりに、厚さが５ｍｍのポリプロピレンの２倍発泡体（商品名：パロニアスーパー、三井化学東セロ株式会社製）を用い、それ以外は実施例２と同様にして、吸音部１ｂの吸音率と防音効果評価を行った。結果を表１に示す。
【００２６】
［比較例１］
衝立を使用せず、実施例１と同様の条件で防音効果評価を行った。結果を表１に示す。
【００２７】
［比較例２］
吸音部１ｂを持たず基部１ａのみからなる壁部１を備えた衝立を用い、それ以外は実施例１と同様にして防音効果評価を行った。結果を表１に示す。
【００２８】
［実施例４］
吸音部１ｂとして、厚さ２０ｍｍ、密度３２ｋｇ／ｍ3のグラスウールを用い、それ以外は実施例１と同様にして吸音部１ｂの吸音率と防音効果評価を行った。結果を表１に示す。
【００２９】
表１に示す防音効果の評価結果を見ると、本発明の実施例１〜３では、オーバーオールでの音圧レベルが低く、また一般会話の周波数帯である５００〜２ｋＨｚにおいて特に音圧レベルが低い結果となった。
【００３０】
衝立を使用しない比較例１、および吸音部１ｂを使用せず本発明の範囲外である比較例２では、オーバーオールでの音圧レベルが高く、さらに、一般会話の周波数帯である５００〜２ｋＨｚにおいて特に音圧レベルが高い結果となった。また、本発明の実施例４では、実施例１〜３の吸音部１ｂに比べると吸音率が低いグラスウールからなる吸音部１ｂを用いているため、実施例１〜３に比べると、オーバーオールでの音圧レベルも一般会話の周波数帯である５００〜２ｋＨｚにおける音圧レベルも高い。
【００３１】
このように、折り畳み衝立の壁部１が、例えば発泡樹脂からなる基部１ａに重なるように吸音部１ｂが設けられた構成（本発明の実施例１〜４）では、その壁部１を通過する音の音圧レベルが低く、優れた遮音効果が得られる。さらに、吸音部１ｂの吸音率が高い場合には、より高い遮音効果が得られる。特に、机上または卓上または室内の床面上に置かれる折り畳み衝立の用途を考慮すると、一般会話の周波数帯である５００〜２ｋＨｚにおける遮音効果（壁部１を通過する音の音圧レベルの低減）が重要であり、その観点からも、例えば１ｋＨｚの音に対する吸音率が０．４以上であるポリウレタンフォーム１ｂ１と不織布１ｂ２との積層体からなる吸音部１ｂを備えている本発明の実施例１〜３が極めて優れていることがわかる。また、折り畳み衝立の持ち運びや組立の容易さを考慮すると、吸音部１ｂがあまり重量の増大を招かないことが好ましい。その点も考慮に加えると、軽量であって、なおかつ前述したように一般会話の周波数帯である５００〜２ｋＨｚにおける遮音効果（壁部１を通過する音の音圧レベルの低減）に優れているポリウレタンフォーム１ｂ１と不織布１ｂ２との積層体からなる吸音部１ｂを備えている本発明の実施例１〜３が、特に有利である。
【表１】
2019196640.tif 000003
【符号の説明】
【００３２】
１        壁部
１ａ      基部
１ｂ      吸音部
１ｂ１    ポリウレタンフォーム
１ｂ２    不織布
２        ヒンジ部
３        机
【図１】
2019196640.tif 000004
【図２Ａ】
2019196640.tif 000005
【図２Ｂ】
2019196640.tif 000006
【図３】
2019196640.tif 000007
【図４】
2019196640.tif 000008